(57)【要約】【課題】部品点数の増加や部品の加工上の複雑さ、組み立て工数の増加を招くことなく、万年筆の持つ固有の弾力性を十分に発揮する万年筆型ボールペンを提供すること。【解決手段】先端部にボール８を回転可能に保持した可撓性の金属板により形成されたペン先部材７が軸筒１の前端部に取り付けられる。前記ペン先部材７は、金属板の先端部を軸線を中心として円筒体状に丸め加工することで円筒部７ａが形成され、この円筒部７ａに、軸線と直交する方向に向かって開口部７ｂを形成して開口部内にボールハウス７ｃが施される。前記ボールハウス７ｃには、軸心に向かって形成された複数の内面突起７ｄによりボール受け座が施され、前記開口部７ｂの開口周縁を内側に倒すことで、ボール保持部が施される。前記ボール受け座とボール保持部との間のボールハウス７ｃ内にボール８が回転可能に収容されて前記ペン先部材が構成される。【選択図】図１
2012166382.tif 000002
【特許請求の範囲】
【請求項１】
可撓性の金属板によりペン先部材を構成し、前記ペン先部材の先端部にボールを回転可能に保持してなる万年筆型ボールペンであって、
前記ペン先部材には、当該ペン先部材を構成する金属板の先端部を軸線を中心として円筒体状に丸め加工することで円筒部を形成すると共に、当該円筒部の先端部側壁に、前記軸線と直交する方向に向かって開口部を形成して当該開口部内にボール径よりも僅かに内径が大きくなされたボールハウスが施され、
かつ、前記開口部の形成位置に対峙する前記円筒部の背面に、側壁面より軸心に向かって複数の内面突起を施すことでボール受け座が形成されると共に、前記開口部における開口周縁を内側に倒すことで、前記ボール径よりも僅かに小径になされたボール保持部が施され、前記ボール受け座とボール保持部との間のボールハウス内に、前記ボールの一部が開口部より露出された状態で回転可能に保持されて前記ペン先部材が構成されており、
前記ペン先部材を構成する金属板の基端部を、軸方向に直交する断面形状が円弧または多角形状に加工することで、ペン先ホルダーに対する係合部が形成され、前記ペン先部材は、前記基端部に形成された前記係合部を利用して、軸筒の前端部に配置されたペン先ホルダーに取り付けられていることを特徴とする万年筆型ボールペン。
【請求項２】
前記ペン先部材を構成する金属板の先端部に形成された円筒部、金属板の基端部に形成されたペン先ホルダーに対する係合部との間の中間部が平板部になされ、当該平板部は筆記荷重を受けてペン先に撓みを与えるように構成されていることを特徴とする請求項１に記載された万年筆型ボールペン。
【請求項３】
前記ペン先部材に形成された円筒部に一端部が差し込まれてインク誘導芯が配置され、当該インク誘導芯を介して、軸筒内のインクタンクからのインクが前記ボールに供給されるように構成したことを特徴とする請求項１または請求項２に記載された万年筆型ボールペン。
【請求項４】
前記インク誘導芯は、筆記荷重を受けた前記ペン先部材の撓みを受けて、当該ペン先部材の撓みに追従して変形可能に構成されていることを特徴とする請求項３に記載された万年筆型ボールペン。
【発明の詳細な説明】
【技術分野】
【０００１】
この発明は、万年筆に用いられるものと同様の例えば金属製のペン先部が具備され、このペン先部にボールを転動可能に保持してなる万年筆型のボールペンに関する。
【背景技術】
【０００２】
従来の例えば水性ボールペンに用いられるボールペンチップを製作する場合、一つの手段として、金属製の丸棒を所定の長さに切断し、その端部に切削により前記ボールが入る穴加工を施し、さらにブローチ加工によりインク溝を形成する。次いで穴加工部分にボールを挿入し、穴加工部分の先端周縁をボールが脱落しないように内向きにかしめ加工するようになされる。これにより、先端部にボールを転動可能に保持したボールペンチップが製作される。
【０００３】
また、ボールペンチップを製作する他の手段としては、金属製のパイプを用意し、その外周面に複数のポンチを打つことでパイプ内に向かって突起を形成させてボール受け座とし、前記ボール受け座を利用してボールを挿入する。次いで前記金属パイプの先端周縁をボールが脱落しないように内向きにかしめ加工することで、先端部にボールを転動可能に保持したボールペンチップを製作することができる。
前記のようにして製作されたボールペンチップは、中継の保持部材を介すか、又は直接筆記具軸に取り付けることで、ボールペンとしての筆記具が完成される。
【０００４】
前記したボールペンにおいては、筆記面に対して多少角度を傾けても、比較的円滑に筆記することは可能であるものの、ボールペンチップが筆記具軸に硬直に取り付けられているために筆記時において弾力性がなく、長時間の使用においては手指が疲れるという問題がある。
【０００５】
一方、周知の万年筆においては、金属製のペン先部の作用により筆記時に適度な弾力が得られるものの、ペン先部の先端を紙面に擦りながら筆記することになるために、書き味が滑らかではない。また前記万年筆においては、金属製のペン先部に形成された割り溝（ギャップ）を介してインクが誘導されるため、前記ギャップが正面に位置する姿勢で筆記する必要がある。
すなわち、軸筒の把持状態が若干周方向に回って前記ギャップ位置が正面位置からずれると、インクは紙面に乗らずに筆記不能になるといった欠点がある。
【０００６】
そこで、従来の前記ボールペンが持つ弾力性のない硬直な手触りの感覚を少なくして、筆記の感触に前記万年筆の機能と同様な適度な弾力を持たせ、かつボールペンが有する紙面に対する軸筒の把持角度の制限が少ないという特質を生かした万年筆型のボールペンについて提案がなされており、これは特許文献１および２に開示されている。
【先行技術文献】
【特許文献】
【０００７】
【特許文献１】実公昭５９−１４２３５号公報
【特許文献２】国際公開ＷＯ２００５−１１３２５５号公報
【０００８】
特許文献１に開示の万年筆型のボールペンは、可撓性を有し横断面がともに円弧状に形成された上板と下板とを重ね合わせてペン先部とし、その隙間に先端部に達するインキ通路を形成して軸筒に取り付けるとともに、上板の先端部にボール受座を設け、下板の先端部にボール受座に対応したボール保持部を設け、ボール保持部内にボールを一部露出させて転動可能に保持したものである。
【０００９】
また、前記上板と下板およびボールの組立ては、あらかじめ成形した下板のボール保持部内にボールを上方から挿入し、さらに上板を下板上に重ね合わせボールが前記ボール保持部より脱出不能としたのち、上板と下板とをインキ通路としての所望の間隙を形成するよう固着した構成にされている。
そのために、ペン先部を弾性変形させた時の上板と下板の合わせ目のズレの影響や衝撃等の影響でインキ通路におけるインキの流れが切断され、インキ切れで筆記不能となる虞がある。
【００１０】
前記特許文献２に開示された万年筆型のボールペンは、前記した上板と下板の合わせ目のズレの影響や衝撃等を受けてインキ通路におけるインキの誘導性を損なうのを解消しようとするものであり、先端にボールを転動可能に抱持した板片状のペン先部が、ペン先基部材に沿って配置され、前記ペン先基部材の軸芯に沿ってインク誘導孔が形成されている。そして、インク誘導孔内に収容されたインク誘導芯を介して、軸筒内に貯留されたインクをペン先部に抱持されたボールに導くように構成されている。
この構成によるとインク誘導芯が作用して、外的な作用を受けてインクの流れが遮断されるのを効果的に防止することができる。
【発明の概要】
【発明が解決しようとする課題】
【００１１】
ところで、特許文献１に開示された万年筆型のボールペンによると、前記したとおりボール保持部を下板に形成し、上板によりボールが脱出するのを阻止するように構成されている。したがって、上板と下板の間のインキ通路が外的な作用を受けてインクの流れに障害をもたらすだけでなく、ペン先として上板と下板を備えることによる部品点数の増加および組み立て工数の増加を招来させることになる。
【００１２】
また特許文献２に開示された万年筆型のボールペンにおいても、板片状のペン先部にボールを転動可能に抱持させると共に、ペン先部とペン先基部材との間でインク誘導芯を収容する空間部を形成するなどの構成上の工夫が必要となり、同じく部品の加工上の複雑さおよび組み立て工数の増加を招来させることになり、改良の余地がある。
【００１３】
加えて、特許文献１および２に開示された構成によると、前者においては上板と下板を平行状態に合わせてペン先部を形成するために、万年筆の持つ固有の弾力性を十分に発揮させることが不可能となる。また後者においても板片状のペン先部の背面側には、ペン先基部材が位置するために、これがペン先部の撓みを阻害し、同様に万年筆の持つ固有の弾力性を十分に発揮させることは不可能となる。
【００１４】
この発明は、前記した従来の問題点を解消するためになされたものであり、部品点数の増加や部品の加工上の複雑さ、およびこれらの組み立て工数の増加を招くことなく、万年筆の持つ固有の弾力性を十分に発揮させることができる万年筆型ボールペンを提供することを課題とするものである。
【課題を解決するための手段】
【００１５】
前記した課題を解決するためになされたこの発明にかかる万年筆型ボールペンは、可撓性の金属板によりペン先部材を構成し、前記ペン先部材の先端部にボールを回転可能に保持してなる万年筆型ボールペンであって、前記ペン先部材には、当該ペン先部材を構成する金属板の先端部を軸線を中心として円筒体状に丸め加工することで円筒部を形成すると共に、当該円筒部の先端部側壁に、前記軸線と直交する方向に向かって開口部を形成して当該開口部内にボール径よりも僅かに内径が大きくなされたボールハウスが施され、かつ、前記開口部の形成位置に対峙する前記円筒部の背面に、側壁面より軸心に向かって複数の内面突起を施すことでボール受け座が形成されると共に、前記開口部における開口周縁を内側に倒すことで、前記ボール径よりも僅かに小径になされたボール保持部が施され、前記ボール受け座とボール保持部との間のボールハウス内に、前記ボールの一部が開口部より露出された状態で回転可能に保持されて前記ペン先部材が構成されており、前記ペン先部材を構成する金属板の基端部を、軸方向に直交する断面形状が円弧または多角形状に加工することで、ペン先ホルダーに対する係合部が形成され、前記ペン先部材は、前記基端部に形成された前記係合部を利用して、軸筒の前端部に配置されたペン先ホルダーに取り付けられている点に特徴を有する。
【００１６】
この場合、前記ペン先部材を構成する金属板の先端部に形成された円筒部、金属板の基端部に形成されたペン先ホルダーに対する係合部との間の中間部が平板部になされ、当該平板部は筆記荷重を受けてペン先に撓みを与えるように構成されていることが望ましい。
【００１７】
また好ましい実施の形態においては、前記した構成加えて、前記ペン先部材に形成された円筒部に一端部が差し込まれてインク誘導芯が配置され、当該インク誘導芯を介して、軸筒内のインクタンクからのインクが前記ボールに供給されるように構成される。
そして、前記インク誘導芯は、筆記荷重を受けた前記ペン先部材の撓みを受けて、当該ペン先部材の撓みに追従して変形可能に構成されていることが望ましい。
【発明の効果】
【００１８】
前記した構成の万年筆型ボールペンによると、ペン先部材を構成する金属板の先端部を軸線を中心として円筒体状に丸め加工することで、ボールを回転可能に保持するボールハウスを含む円筒部が形成され、前記ペン先部材を構成する金属板の基端部には、軸筒の前端部に配置されるペン先ホルダーに対する係合部が形成されるので、この係合部を利用してペン先部材を軸筒の先端部に取り付けることができる。
【００１９】
そして、前記ペン先部材に形成された円筒部の側壁には、前記軸線と直交する方向に向かって開口部が形成されることで、当該開口部内にボールハウスが施され、開口部の形成位置に対峙する前記円筒部の背面より、軸心に向かう複数の内面突起をポンチ等により形成することでボール受け座が施される。また、前記開口部の開口周縁を内側に倒すことで、前記ボール径よりも僅かに小径になされたボール保持部が施される。
これにより、前記ボールハウスに施された前記ボール受け座とボール保持部との間で、前記ボールの一部が開口部より露出された状態で、ボールを転動可能に保持することができる。
【００２０】
したがって、前記した構成によると、部品点数の増加や部品の加工上の複雑さ、およびこれらの組み立て工数の増加を招くことなく、ボールを転動可能に保持してなるペン先部材を得ることができる。
【００２１】
加えて、前記ペン先部材を構成する金属板の先端部に形成された円筒部と、金属板の基端部に形成されたペン先ホルダーへの係合部との間の中間部が平板部になされることで、当該平板部は筆記荷重を受けてペン先に撓みを与えるように作用するので、万年筆の持つ固有の弾力性を十分に発揮させることができる万年筆型ボールペンを提供することができる。
【図面の簡単な説明】
【００２２】
【図１】この発明に係る万年筆型ボールペンの全体構成を示した縦断面図である。
【図２】図１に示す万年筆型ボールペンにおけるペン先部分を拡大して示した側面図である。
【図３】同じくペン先部材の先端部を示した縦断面図である。
【図４】同じくペン先部材の先端部を示した底面図である。
【図５】同じくペン先部材を先端部側から見た正面図である。
【発明を実施するための形態】
【００２３】
以下、この発明にかかる万年筆型ボールペンについて、図に示す実施の形態に基づいて説明する。
全体構成を示した図１に示すように、この万年筆型ボールペンは、後部をインクタンク２とする円筒状に形成された軸筒１により外郭を構成している。この軸筒１の先端開口部には、筒状の継ぎ手３が嵌め込まれ、この継ぎ手３によって、外側に多数の空気置換溝などを備えたインク保溜体４が軸筒１内の前半部に収容され支持されている。
【００２４】
前記インク保溜体４の中心部には貫通孔４ａが形成されて、この貫通孔４ａ内にインク誘導芯５が収容されており、このインク誘導芯５の後端部は前記インクタンク２内に入り込んだ状態になされ、またインク誘導芯５の前端部は、後述するペン先部材に転動可能に保持されたボールの直近に至るように配置されている。
前記インク誘導芯５は、好ましくは繊維素材を結束してなる繊維束により構成されており、インクタンク２内のインクを毛細管現象を利用して導出し、ペン先部材に転動可能に保持されたボールに対してインクを供給するように作用する。
【００２５】
一方、前記インク保溜体４の前端部には前記貫通孔４ａに連通して内径の太い支持孔４ｂが形成されており、この支持孔４ｂにはペン先ホルダー６の根元部分が嵌合されて取り付けられている。
【００２６】
前記ペン先ホルダー６の前端部には、傾斜面６ａが形成されており、この傾斜面６ａが形成された部分の反対面（背面側）には、金属板により形成されたペン先部材７がペン先ホルダー６に沿うようにして取り付けられている。なお、前記ペン先部材７の先端部にはボール８が回転可能に取り付けられており、その詳細な構成は後で説明する。
【００２７】
図２〜図５は、可撓性の金属板により形成されたペン先部材７の構成を示したものである。このペン先部材７は、０．１〜０．３ｍｍ程度の厚さの例えばステンレス素材による金属板を所定の形状に打ち抜いたものが用いられる。このペン先部材７には、金属板の先端部を軸線を中心として円筒体状に丸め加工することで円筒部７ａが形成されており、この円筒部７ａの先端部の側壁に、前記軸線と直交する方向に向かって、すなわち、ペン先部材７の下面に向かって開口部７ｂが形成されている。
【００２８】
この開口部７ｂにより、その内部にボールハウス７ｃが形成され、このボールハウス７ｃは、これに保持されるボール８の外径よりも僅かに内径が大きくなされた空間部になされている。
また、前記開口部７ｂの形成位置に対峙する前記円筒部７ａの背面に、側壁面より軸心に向かって複数（図３および図４に示す例においては、３つ）の内面突起７ｄが、例えばポンチを打ちにより形成されている。この内面突起７ｄにより、前記ボールハウス７ｃ内にボール受け座（内面突起７ｄと同一符号で示す。）が施されている。
【００２９】
なお、前記ボール８が装着されていない状態で示す図４に現れているように、隣接する前記内面突起７ｄの間は、ボールハウス７ｃ内において溝状の凹みになされており、これはインク誘導溝７ｅとしての機能を果たし、前記したインク誘導芯５を介して供給されるインクタンク２からのインクを効果的にボール８に供給するように作用する。
【００３０】
なお、前記したポンチ打ちにより複数の内面突起７ｄを形成させる場合においては、先端が角錐または円錐、もしくは球面をしたコアピン（図示せず）を開口部７ｂを介してボールハウス７ｃ内に挿入し、ポンチを打つことでボール８の受け座面を平面または円弧面もしくは球面状に形成することができる。
この加工によりボール８の座りを安定させ、ボール８がボールハウス７ｃ内で滑らかに転動するようになり、これにより書き味を良くし、更にはボール受け座７ｄとボール８との回転による擦れ摩耗を少なくする効果を得ることができる。
【００３１】
前記したように複数の内面突起（ボール受け座）７ｄを形成した後に、前記ボールハウス７ｃ内に前記ボール８を投入し、この状態で前記開口部７ｂの開口周縁を内側に倒すかしめ加工を施すことで、前記ボール８の径よりも僅かに小径になされたボール保持部（開口部７ｂと同一符号で示す。）が形成される。
これにより、図２および図３に示されたように前記ボール８はボール受け座７ｄとボール保持部７ｂとの間で、ボールハウス７ｃ内に回転可能に収容され、かつボール８の一部が前記開口部７ｂより突出された状態で保持される。
【００３２】
前記ペン先部材７を構成する前記金属板の基端部は、軸方向に直交する断面形状が円弧または多角形状に折り曲げ加工されることで、前記ペン先ホルダー６に対する係合部７ｇが形成されている。
すなわち、図５に示されたように、ペン先ホルダーへの前記係合部７ｇは、互いに内向きとなるように水平方向に折り曲げられて構成されている。
【００３３】
一方、前記ペン先ホルダー６は、軸方向に直交する断面形状が多角形状に加工され、図には現れていないが、互いに水平方向に張り出す一対の面が形成されている。
したがって、前記ペン先部材７をペン先ホルダー６の背面側に添わせつつ、ペン先部材７の基端部をペン先ホルダー６に沿って押し込むことで、ペン先部材７に形成された一対の係合部７ｇは、ペン先ホルダー６側の前記水平方向の一対の面に当接し、ペン先部材６の弾性復元力により、ペン先部材７はペン先ホルダー６に取り付けられる。
【００３４】
また、前記ペン先部材７は、図２に示されたように前記円筒部７ａとペン先ホルダーへの係合部７ｇとの間の中間部が平板部７ｆになされている。この平板部７ｆの形成により、当該平板部７ｆは筆記荷重を受けた場合、ペン先部材７に効果的に撓みを与えるように作用する。
なお、前記平板部７ｆは、筆記荷重に対する撓みの程度を調整するために、軸方向に直交する断面形状がわずかに円弧状に湾曲した構成を採用することもある。
【００３５】
以上のように、前記ペン先部材７には、平板部７ｆが形成されているので、筆記荷重を受けてペン先部材７の平板部７ｆが撓むように作用し、万年筆の持つ固有の弾力性を十分に発揮させることができる万年筆型ボールペンを提供することができる。
この場合、ペン先部材７の裏側に配置されたインク誘導芯５は、筆記荷重を受けた前記ペン先部材７の撓みを受けて、当該ペン先部材７の撓みに追従して変形しつつ、インクをボール８側に供給するように作用する。
【００３６】
前記したインク供給作用の信頼性を確保するために、インク誘導芯５の先端部はボールハウス７ｃを形成する円筒部７ａの後端部に例えば圧入により差し込まれ、円筒部７ａから容易に抜け出ないように取り付けられる。
【００３７】
この場合、インク誘導芯５の先端部を円筒部７ａの後部に圧入により差し込んだ後に、円筒部７ａの後端部を外周からポンチ打ちを施すことで内方突起を形成してインク誘導芯５の先端部を円筒部７ａに固定するか、円筒部７ａの後端部の一部を内方に倒すかしめ加工を施すことによりインク誘導芯５のボール側の端部を円筒部７ａに固定する手段が適宜採用し得る。
【００３８】
なお、前記したインク誘導芯５は、すでに説明したとおり、繊維素材を結束してなる繊維束を好適に利用することができるが、チューブ内面から中心に向かって突出する軸方向に長い複数のリブを備えてなる中空部材を採用することもできる。
【００３９】
以上のように、本発明に係る実施の形態によれば、水性ボールペンでありながら万年筆のようなペン先の弾力性が得られるため、長時間の使用での手指の疲労を軽減することができる。
また万年筆のように弾力性があっても、金属のペン先の先端を紙面に擦りながら筆記し書き味が滑らかでなく且つインクの出る位置が限定されているため軸が少しでも回るとインクは紙面に乗らず筆記不能になるといった欠点も解消できるなど、前記した発明の効果の欄に記載したとおりの作用効果を得ることができる。
【符号の説明】
【００４０】
１    軸筒
２    インクタンク
３    継ぎ手
４    インク保溜体
５    インク誘導芯
６    ペン先ホルダー
７    ペン先部材
７ａ  円筒部
７ｂ  開口部（ボール保持部）
７ｃ  ボールハウス
７ｄ  内面突起（ボール受け座）
７ｅ  インク誘導溝
７ｆ  平板部
７ｇ  係合部
８    ボール
【図１】
2012166382.tif 000003
【図２】
2012166382.tif 000004
【図３】
2012166382.tif 000005
【図４】
2012166382.tif 000006
【図５】
2012166382.tif 000007